【事件の表示】
　特願２０１２−１１３８４３号「遊技機」拒絶査定不服審判事件〔平成２５年１２月５日出願公開、特開２０１３−２４０３６８号〕について、次のとおり審決する。
【結　論】
　本件審判の請求は、成り立たない。
【理　由】
１　手続の経緯の概要
　本願は、平成２４年５月１７日の出願であって、平成２６年４月１１日付けで拒絶の理由が通知され、同年６月１３日に意見書及び手続補正書が提出されところ、さらに、同年６月２７日付けで最後の拒絶の理由が通知され、同年８月２６日に意見書及び手続補正書が提出されたところ、同年９月１１日付けで、同年８月２６日に提出された手続補正書でした補正の却下の決定がなされ、同日付けで拒絶査定がなされ（発送日：同年９月３０日）、それに対し、同年１２月１２日に拒絶査定不服審判の請求がなされると同時に手続補正書が提出されたものである。
　そして、当審にて平成２８年２月３日付けで拒絶理由を通知したところ、同年３月２８日に意見書及び手続補正書が提出されたものである。
　
２　本願発明
　本願の請求項１、２に係る発明は、平成２８年３月２８日付け手続補正書により補正された特許請求の範囲の請求項１、２に記載された事項により特定されるところ、請求項１に係る発明（以下「本願発明」という。）は、次のとおりのものである。
　「遊技媒体を発射することにより識別情報の可変表示を行い、識別情報の可変表示結果が特定表示結果となったときに有利状態に制御可能な遊技機であって、
　所定の条件が成立したことに基づいて第１駆動手段の駆動により遊技者にとって有利な状態に変化する第１可変入賞手段と、
　前記第１可変入賞手段が有利な状態に変化したか否かに関わらず前記有利状態に制御されることに基づいて、前記第１駆動手段とは異なる第２駆動手段の駆動により遊技者にとって有利な状態に変化する第２可変入賞手段と、
　前記第２可変入賞手段が有利な状態に変化したか否かに関わらず成立する前記所定の条件が成立したことに基づいて前記第１駆動手段を駆動する制御を実行し、前記第１可変入賞手段が有利な状態に変化したか否かに関わらず前記有利状態に制御されることに基づいて前記第２駆動手段を駆動する制御を実行する駆動制御手段を備え、
　前記第１可変入賞手段および前記第２可変入賞手段は、それぞれ複数態様の有利な状態のうちいずれかの有利な状態に変化可能であり、
　前記駆動制御手段は、
　前記第１駆動手段を駆動する時間を特定可能な駆動制御時間データを、予め設けられた駆動データ記憶領域のうちの第１可変入賞手段用駆動データ記憶領域に、前記第２駆動手段を駆動する時間を特定可能な駆動制御時間データを、予め設けられた駆動データ記憶領域のうちの第２可変入賞手段用駆動データ記憶領域にそれぞれ記憶させるデータ記憶処理と、
　前記第１可変入賞手段用駆動データ記憶領域に記憶された駆動制御時間データに基づいて第１駆動信号を前記第１駆動手段に出力し、前記第２可変入賞手段用駆動データ記憶領域に記憶された駆動制御時間データに基づいて第２駆動信号を前記第２駆動手段に出力する駆動信号出力処理と、
　を実行可能であり、
　前記第１駆動信号および前記第２駆動信号を出力する設定を共通の領域に対して行い、
　前記第１駆動手段を駆動させるときと前記第２駆動手段を駆動させるときとで共通の回路により駆動信号を出力して前記第１可変入賞手段と前記第２可変入賞手段とをそれぞれ独立して有利な状態に変化させる、
　ことを特徴とする遊技機。」
　
３　刊行物に記載された発明
（１）当審による拒絶理由において刊行物１として提示された、本願の出願前に頒布された刊行物である特開平６−２７７３４６号公報には、図面と共に次の事項が記載されている（下線は審決にて付した。以下同じ。）。
　
　ア　「【０００１】
【産業上の利用分野】本発明は、例えば、液晶を用いた図柄表示装置を備えた
パチンコ機
　
　イ　「【０００４】
【発明が解決しようとする課題】本発明の目的は、パチンコ機における図柄表示において、詳細な図形や絵柄を鮮明に表示することができ、多種類の色彩を表示可能な図柄表示装置を備えたパチンコ機を提供することにある。」
　
　ウ　「【００３１】図柄表示ユニット１３の下方には、図柄表示装置１の特別図柄の図柄変動の始動口である
第１種始動口１４を兼ねる普通電動役物１５
【００３２】普通電動役物１５の左右には、普通図柄表示装置１８の始動口である左ゲート２２と右ゲート２３がそれぞれ配設されている。また、左ゲート２２と右ゲート２３の奥方には、遊技球の各々のゲート通過を検出する普通図柄作動スイッチＳＷ１，ＳＷ１が配備されている。普通図柄表示装置１８の左，右普通図柄表示部２６，２７は、
左，右ゲート２２，２３のいずれか一方に遊技球が通過すると変動を開始し
【００３３】
停止表示された左右の普通図柄の組み合わせが、００，３３，５５，７７，９９の内のいずれかであった場合、普通電動役物１５が間歇的に拡開動作を行い、図柄表示装置１の特別図柄変動の始動口である第１種始動口１４を拡開する
　
　エ　「【００３６】
第１種始動口１４に遊技球が入賞すると、図柄表示装置１の特別図柄が図柄変動し
停止表示された左，中，右の特別図柄が全て一致した場合には
大入賞口１６が所定時間の開放動作を行う
　
　オ　「【００３９】図３は、本発明のパチンコ機の図柄表示装置を装備したパチンコ機の一実施例を示す要部ブロック図であって、パチンコ機の制御部は、遊技盤面における入賞球の検出、入賞及び不正の判定、表示部への出力、各可動部材の駆動、入賞発生に対する賞品球の払い出し、打球管理装置への信号授受等の制御を行うとともに、図柄表示装置１に対して出力する遊技態様及び不正発生に対応した８ビットよりなる表示図柄指定データ及び表示図柄指定データを図柄表示装置１のＭＰＵ２に読み込ませるための割り込み信号であるＬＷＲ信号及びタイミング信号であるＬＣＥ信号を出力する制御プログラムを格納したＲＯＭ３１とデータの一時記憶等に用いられるＲＡＭ３２及びＲＯＭ３１の制御プログラムに従ってパチンコ機の各部を駆動制御するＣＰＵ３０によって構成され、該制御部は条件検出手段や各図柄表示部の変動停止時間を確定させる変動時間確定手段や、不正検出手段をを兼ねる。
【００４０】ＣＰＵ３０に対して、普通図柄作動スイッチＳＷ１，第１種始動口入賞検出スイッチＳＷ２，大入賞口入賞検出スイッチＳＷ３，特定領域入賞検出スイッチＳＷ４の各々が、スイッチ検出部２８を介して接続され、また、普通図柄表示装置１８と、普通図柄記憶数表示ＬＥＤ１９及び特別図柄記憶数表示ＬＥＤ２１とがＬＥＤ表示回路２９を介して接続され、これらはＣＰＵ３０により個別にまたは同時に駆動制御されるようになっている。
大入賞口１６を開閉駆動する大入賞口開閉ソレノイドＳＯＬ１は、ソレノイド駆動回路３３を介しＣＰＵ３０に接続され、普通電動役物１５を拡開駆動する普通電動役物開放ソレノイドＳＯＬ２はソレノイド駆動回路３４を介しＣＰＵ３０に接続され、ＣＰＵ３０により個別にまたは同時に駆動制御される
　
　カ　「【０２４４】大入賞口開閉動作処理を開始した直後であれば、ソレノイドフラグｆｆが開放実行を規定する値１がインターバル処理終了時の処理によって設定されているため、
ＣＰＵ３０は、
大入賞口開放ソレノイドＳＯＬ１の励磁指令を出力して大入賞口１６を開放し
大入賞口動作タイマＴ３に開放時間ｔ１をセットし
　
　キ　上記ア〜カから、刊行物１には次の発明（以下「刊行物発明」という。）が記載されていると認められる。
　「第１種始動口１４に遊技球が入賞すると、図柄表示装置１の特別図柄が図柄変動し、停止表示された左，中，右の特別図柄が全て一致した場合には、大入賞口１６が所定時間の開放動作を行うパチンコ機において（【０００１】、【００３６】）、
　左，右ゲート２２，２３のいずれか一方に遊技球が通過すると変動を開始し、停止表示された左右の普通図柄の組み合わせが、００，３３，５５，７７，９９の内のいずれかであった場合、普通電動役物開放ソレノイドＳＯＬ２により、間歇的に拡開動作を行う第１種始動口１４を兼ねる普通電動役物１５と（【００３１】、【００３２】、【００３３】、【００４０】）、
　図柄表示装置１の特別図柄が図柄変動し停止表示された左，中，右の特別図柄が全て一致した場合、大入賞口開閉ソレノイドＳＯＬ１により、所定時間の開放動作を行う大入賞口１６と（【００３６】、【００４０】）、
　大入賞口１６を開閉駆動する大入賞口開閉ソレノイドＳＯＬ１は、ソレノイド駆動回路３３を介しＣＰＵ３０に接続され、普通電動役物１５を拡開駆動する普通電動役物開放ソレノイドＳＯＬ２はソレノイド駆動回路３４を介しＣＰＵ３０に接続され（【００４０】）、
　大入賞口開閉ソレノイドＳＯＬ１による大入賞口１６と、普通電動役物開放ソレノイドＳＯＬ２による普通電動役物１５とを、個別にまたは同時に駆動制御するＣＰＵ３０と（【００４０】）、
　を備え、
　ＣＰＵ３０は、
　　普通電動役物開放ソレノイドＳＯＬ２を駆動制御して、普通電動役物１５を間歇的に拡開動作させ（【００３３】、【００４０】）、
　また、
　　大入賞口開放ソレノイドＳＯＬ１の励磁指令を出力し、開放時間ｔ１の間大入賞口１６を開放させる（【０２４４】）
　パチンコ機。」
　
（２）当審による拒絶理由において刊行物２として提示された、本願の出願前に頒布された刊行物である特開２００６−２６３２１号公報には、図面と共に次の事項が記載されている（下線は審決にて付した。以下同じ。）。
　
　ア　「【技術分野】
【０００１】
　本発明は、
パチンコ機
・・・
【発明が解決しようとする課題】
【０００５】
　しかしながら、ソレノイドは、パチンコ機に使用される電気部品の中でも消費電流の多い部品として分類される。よって、パチンコ機の遊技盤に搭載されるソレノイドの数は、パチンコ機の消費電流の量に大きく影響することになる。一方で、パチンコ機に電流を供給する電源基板は、遊技的な部分の設計とは無関係に設計されており、遊技盤の交換によりソレノイドの数が増え、それが原因でパチンコ機全体の消費電流量が電源基板の電源容量を越えるのであれば、設計変更が必要となり、設計コストがかかると共に、設計にかかる時間が多大に消費されてしまうという問題点があった。あるいは、ソレノイドの数の増加による消費電流量の増加を見込んで、予め、電源基板の電源容量を大きめに設計することもできるが、その場合には電源基板のコストが大きくなるという問題が生じる。
【０００６】
　本発明は、上述した問題点を解決するためになされたものであり、遊技機に設けられるソレノイドの数が増大しても、その増大が電源容量の最大消費電流量に影響を与え難いように制御される遊技機を提供することを目的としている。」
　
　イ　「【０４１５】
　次に、図７１から図７９を参照して、パチンコ機１０の第２実施形態について説明する。上述した第１実施形態では、表示制御装置５０５にソレノイドオフカウンタ７２３ｄを設け、表示装置５０５に設けられた演出用の部材（右扉１７１及び左扉１７２）を駆動するソレノイド（右扉ソレノイド１７７及び左扉ソレノイド１８４）の駆動による合計消費電流量を制御することにより、パチンコ機１０全体でのソレノイドの駆動による合計消費電流量を、電源装置６１２の電源容量により供給が許容される量以下（又は未満）に制御するものであった。これに換えて、第２実施形態では、主制御装置５６１において、遊技性を高めるために設けられた複数のチューリップを駆動するために各ソレノイドに通電される合計消費電流量を制御する。なお、この第２実施形態において、第１実施形態と同一の部分には同一の符号を付して、その説明を省略する。
・・・
　更に、第２実施形態のパチンコ機１０における主制御装置５６１のＲＡＭ７０３には、バックアップエリア７０３ａ、ソレノイド制御データメモリ７０３ｃ、ソレノイドオフカウンタ７０３ｄと、ソレノイドオフカウンタ起動フラグ７０３ｅと、上段チューリップ開放フラグ７０３ｆと、中段チューリップ開放フラグ７０３ｇと、下段チューリップ開放フラグ７０３ｈと、上段チューリップオンオフカウンタ７０３ｉと、中段チューリップオンオフカウンタ７０３ｊと、下段チューリップオンオフカウンタ７０３ｋとが設けられている。」
　
　ウ「【０４５４】
　図７４は、第２実施形態における
主制御装置５６１でのタイマ割込処理のフローチャートである
【０４５５】
　第２実施形態の
タイマ割込処理では
ソレノイド制御データ出力処理（Ｓ６０５）を行う
・・・
【０４６１】
　次に、図７５のフローチャートを参照して、第２実施形態のソレノイド制御データ出力処理（Ｓ６０７）について説明する。この第２実施形態の
ソレノイド制御データ出力処理では
【０４６２】
　次に、
上段チューリップ開放フラグ７０３ｆがオンか否かを確認し（Ｓ１９０２）、
上段チューリップ開放フラグ７０３ｆがオンであれば（Ｓ１９０２：Ｙｅｓ）、ソレノイド制御データメモリ７０３ｃの値の０ビット目に「１」をセットし（Ｓ１９１５）
・・・
【０４６４】
　次に、Ｓ１９０４の処理では、
中段チューリップ開放フラグ７０３ｇがオンか否かを確認する
中段チューリップ開放フラグ７０３ｇがオンであれば（Ｓ１９０４：Ｙｅｓ）、ソレノイド制御データメモリ７０３ｃの値の１ビット目に「１」をセットし（Ｓ１９１７）
・・・
【０４６６】
　次に、Ｓ１９０６の処理では、
下段チューリップ開放フラグ７０３ｈがオンか否かを確認する
下段チューリップ開放フラグ７０３ｈがオンであれば（Ｓ１９０６：Ｙｅｓ）、ソレノイド制御データメモリ７０３ｃの値の２ビット目に「１」をセットし（Ｓ１９１９）
　
　エ　「【０４７９】
　次に、
Ｓ１９１２の処理で読み出したソレノイド出力オフデータ７０２ａ１と、ソレノイド制御データメモリ７０３ｃの値との論理積をとり、その結果をソレノイド制御データメモリ７０３ｃに記憶し（Ｓ１９１３）、ソレノイド制御データメモリ７０３ｃに記憶される値を、入出力ポート７０５へ出力し（Ｓ１９１４）
【０４８０】
　Ｓ１９１４の処理により、
ソレノイド制御データメモリ７０３ｃに記憶される値（ソレノイド制御データ）が入出力ポート７０５へ出力されると、出力されたソレノイド制御データの０〜２ビット目の値に応じて、それぞれ、上段チューリップソレノイド９３１、中段チューリップソレノイド９３２、下段チューリップソレノイド９３３がオン又はオフされる
　
　オ　上記ア〜エから、刊行物２には次の技術事項が記載されていると認められる。
　「主制御装置５６１でのタイマ割込処理ではソレノイド制御データ出力処理（Ｓ６０５）を行い（【０４５４】、【０４５５】）、
　ソレノイド制御データ出力処理では（【０４６１】）、
　　上段チューリップ開放フラグ７０３ｆがオンか否かを確認し、オンであれば、ソレノイド制御データメモリ７０３ｃの値の０ビット目に「１」をセットし（【０４６２】）、
　　中段チューリップ開放フラグ７０３ｇがオンか否かを確認し、オンであれば、ソレノイド制御データメモリ７０３ｃの値の１ビット目に「１」をセットし（【０４６４】）、
　　下段チューリップ開放フラグ７０３ｈがオンか否かを確認し、オンであれば、ソレノイド制御データメモリ７０３ｃの値の２ビット目に「１」をセットする（【０４６６】）
　パチンコ機。」
　
４　対比
　本願発明と刊行物発明とを対比する。
　ア　刊行物発明における「第１種始動口１４に遊技球が入賞すると、図柄表示装置１の特別図柄が図柄変動」することと、本願発明における「遊技媒体を発射することにより識別情報の可変表示を行」うこととを対比する。
　
　刊行物発明における「第１種始動口１４に遊技球が入賞する」ことは、「第１種始動口１４」への遊技球の入賞が、遊技球が発射されたことにより生じるものであることは明らかであるから、本願発明における「遊技媒体を発射すること」に相当する。
　そして、刊行物発明の「特別図柄」、「図柄変動（すること）」は、それぞれ、本願発明の「識別情報」、「可変表示を行（うこと）」に相当する。
　
　したがって、刊行物発明における「第１種始動口１４に遊技球が入賞すると、図柄表示装置１の特別図柄が図柄変動」することは、本願発明における「遊技媒体を発射することにより識別情報の可変表示を行」うことに相当する。
　
　イ　刊行物発明における「停止表示された左，中，右の特別図柄が全て一致した場合には、大入賞口１６が所定時間の開放動作を行うパチンコ機」と、本願発明における「識別情報の可変表示結果が特定表示結果となったときに有利状態に制御可能な遊技機」とを対比する。
　
　刊行物発明における「停止表示された左，中，右の特別図柄が全て一致した場合」は、本願発明の「識別情報の可変表示結果が特定表示結果となったとき」に相当する。
　そして、刊行物発明における「大入賞口１６が所定時間の開放動作を行う」遊技状態は、遊技者が入賞による遊技球を獲得できる有利な状態であるから、本願発明における「有利状態に制御可能な」ことに相当する。
　
　したがって、刊行物発明における「停止表示された左，中，右の特別図柄が全て一致した場合には、大入賞口１６が所定時間の開放動作を行うパチンコ機」は、本願発明における「識別情報の可変表示結果が特定表示結果となったときに有利状態に制御可能な遊技機」に相当する。
　
　ウ　刊行物発明における「左，右ゲート２２，２３のいずれか一方に遊技球が通過すると変動を開始し、停止表示された左右の普通図柄の組み合わせが、００，３３，５５，７７，９９の内のいずれかであった場合、普通電動役物開放ソレノイドＳＯＬ２により、間歇的に拡開動作を行う第１種始動口１４を兼ねる普通電動役物１５」と、本願発明における「所定の条件が成立したことに基づいて第１駆動手段の駆動により遊技者にとって有利な状態に変化する第１可変入賞手段」とを対比する。
　
　刊行物発明における「左，右ゲート２２，２３のいずれか一方に遊技球が通過すると変動を開始し、停止表示された左右の普通図柄の組み合わせが、００，３３，５５，７７，９９の内のいずれかであった場合」は、本願発明における「所定の条件が成立したこと」に相当する。
　そして、刊行物発明における「普通電動役物開放ソレノイドＳＯＬ２」は、本願発明における「第１駆動手段」に相当する。
　また、刊行物発明における「通電動役物１５が間歇的に拡開動作を行う」ことは、通電動役物１５の拡開動作により、遊技者が遊技球を第１種始動口１４に入球させ易くする有利な状態であるから、本願発明における「遊技者にとって有利な状態に変化する」ことに相当する。
　
　したがって、刊行物発明における「左，右ゲート２２，２３のいずれか一方に遊技球が通過すると変動を開始し、停止表示された左右の普通図柄の組み合わせが、００，３３，５５，７７，９９の内のいずれかであった場合、普通電動役物開放ソレノイドＳＯＬ２により、間歇的に拡開動作を行う第１種始動口１４を兼ねる普通電動役物１５」は、本願発明における「所定の条件が成立したことに基づいて第１駆動手段の駆動により遊技者にとって有利な状態に変化する第１可変入賞手段」に相当する。
　
　エ　刊行物発明における「図柄表示装置１の特別図柄が図柄変動し停止表示された左，中，右の特別図柄が全て一致した場合、大入賞口開閉ソレノイドＳＯＬ１により、所定時間の開放動作を行う大入賞口１６」と、本願発明における「第１可変入賞手段が有利な状態に変化したか否かに関わらず有利状態に制御されることに基づいて、第１駆動手段とは異なる第２駆動手段の駆動により遊技者にとって有利な状態に変化する第２可変入賞手段」とを対比する。
　
　刊行物発明における「大入賞口開閉ソレノイドＳＯＬ１」は、本願発明における「第２駆動手段」に相当する。
　そして、刊行物発明において、「大入賞口開閉ソレノイドＳＯＬ１」と、「普通電動役物開放ソレノイドＳＯＬ２」とは、「ＣＰＵ３０」により「個別にまたは同時に駆動制御され」ることから、「大入賞口開閉ソレノイドＳＯＬ１」は、ＣＰＵによる「普通電動役物開放ソレノイドＳＯＬ２」の駆動制御とは、独立して駆動制御されるものであり、また、「大入賞口開閉ソレノイドＳＯＬ２」とは異なるものであることは明らかある。
　また、刊行物発明において、「図柄表示装置１の特別図柄が図柄変動し停止表示された左，中，右の特別図柄が全て一致した場合」は、「所定時間の開放動作を行う」ことから、本願発明における「有利状態に制御されること」、及び、「遊技者にとって有利な状態に変化する」ことに相当する。
　
　したがって、刊行物発明における「図柄表示装置１の特別図柄が図柄変動し停止表示された左，中，右の特別図柄が全て一致した場合、大入賞口開閉ソレノイドＳＯＬ１により、所定時間の開放動作を行う大入賞口１６」は、本願発明における「第１可変入賞手段が有利な状態に変化したか否かに関わらず有利状態に制御されることに基づいて、第１駆動手段とは異なる第２駆動手段の駆動により遊技者にとって有利な状態に変化する第２可変入賞手段」に相当する。
　
　オ　刊行物発明における「大入賞口開閉ソレノイドＳＯＬ１による大入賞口１６の制御と、普通電動役物開放ソレノイドＳＯＬ２による普通電動役物１５の制御とを個別にまたは同時に駆動制御するＣＰＵ３０」は、「個別にまたは同時に駆動制御する」ことが、ソレノイドによる一方の駆動制御が他方の駆動制御に影響を与えないことを意味し、また、上記ウ、エにおいて検討したことを参酌すると、本願発明における「第２可変入賞手段が有利な状態に変化したか否かに関わらず成立する所定の条件が成立したことに基づいて第１駆動手段を駆動する制御を実行し、第１可変入賞手段が有利な状態に変化したか否かに関わらず有利状態に制御されることに基づいて第２駆動手段を駆動する制御を実行する駆動制御手段」に相当する。
　
　カ　刊行物発明における「普通電動役物開放ソレノイドＳＯＬ２を駆動制御して、普通電動役物１５を間歇的に拡開動作させ、また、大入賞口開放ソレノイドＳＯＬ１の励磁指令を出力し、開放時間ｔ１の間大入賞口１６を開放させる」「ＣＰＵ３０」と、本願発明における「第１駆動手段を駆動する時間を特定可能な駆動制御時間データを、予め設けられた駆動データ記憶領域のうちの第１可変入賞手段用駆動データ記憶領域に、第２駆動手段を駆動する時間を特定可能な駆動制御時間データを、予め設けられた駆動データ記憶領域のうちの第２可変入賞手段用駆動データ記憶領域にそれぞれ記憶させるデータ記憶処理と、第１可変入賞手段用駆動データ記憶領域に記憶された駆動制御時間データに基づいて第１駆動信号を第１駆動手段に出力し、第２可変入賞手段用駆動データ記憶領域に記憶された駆動制御時間データに基づいて第２駆動信号を第２駆動手段に出力する駆動信号出力処理と、を実行可能であ」る「駆動制御手段」とを対比する。
　
　刊行物発明において、「ＣＰＵ３０」が、「普通電動役物１５を間歇的に拡開動作させ」るために、普通電動役物１５拡開時間を予め記憶し、普通電動役物１５作動時に記憶された拡開時間を読み出し、読み出された拡開時間を普通電動役物開放ソレノイドＳＯＬ２へ出力して、普通電動役物開放ソレノイドＳＯＬ２の駆動制御を実行することは当業者にとって自明である。
　また、刊行物発明において、「ＣＰＵ３０」が、「開放時間ｔ１の間大入賞口１６を開放させる」ために、大入賞口１６の開放時間ｔ１を、普通電動役物１５の拡開時間を記憶する記憶手段とは、別の記憶手段に予め記憶し、大入賞口１６作動時に記憶された開放時間ｔ１を読み出し、読み出された開放時間ｔ１を大入賞口開放ソレノイドＳＯＬ１へ出力して、大入賞口開放ソレノイドＳＯＬ１の駆動制御を実行することは当業者にとって自明である。
　
　したがって、刊行物発明における「ＣＰＵ３０」は、本願発明における「第１駆動手段を駆動する時間を特定可能な駆動制御時間データを、予め設けられた駆動データ記憶領域のうちの第１可変入賞手段用駆動データ記憶領域に、第２駆動手段を駆動する時間を特定可能な駆動制御時間データを、予め設けられた駆動データ記憶領域のうちの第２可変入賞手段用駆動データ記憶領域にそれぞれ記憶させるデータ記憶処理と、第１可変入賞手段用駆動データ記憶領域に記憶された駆動制御時間データに基づいて第１駆動信号を第１駆動手段に出力し、第２可変入賞手段用駆動データ記憶領域に記憶された駆動制御時間データに基づいて第２駆動信号を第２駆動手段に出力する駆動信号出力処理と、を実行可能であ」る「駆動制御手段」に相当する。
　
　キ　上記ア〜カから、本願発明と刊行物発明とは、
「遊技媒体を発射することにより識別情報の可変表示を行い、識別情報の可変表示結果が特定表示結果となったときに有利状態に制御可能な遊技機であって、
　所定の条件が成立したことに基づいて第１駆動手段の駆動により遊技者にとって有利な状態に変化する第１可変入賞手段と、
　前記第１可変入賞手段が有利な状態に変化したか否かに関わらず前記有利状態に制御されることに基づいて、前記第１駆動手段とは異なる第２駆動手段の駆動により遊技者にとって有利な状態に変化する第２可変入賞手段と、
　前記第２可変入賞手段が有利な状態に変化したか否かに関わらず成立する前記所定の条件が成立したことに基づいて前記第１駆動手段を駆動する制御を実行し、前記第１可変入賞手段が有利な状態に変化したか否かに関わらず前記有利状態に制御されることに基づいて前記第２駆動手段を駆動する制御を実行する駆動制御手段を備え、
　前記駆動制御手段は、
　前記第１駆動手段を駆動する時間を特定可能な駆動制御時間データを、予め設けられた駆動データ記憶領域のうちの第１可変入賞手段用駆動データ記憶領域に、前記第２駆動手段を駆動する時間を特定可能な駆動制御時間データを、予め設けられた駆動データ記憶領域のうちの第２可変入賞手段用駆動データ記憶領域にそれぞれ記憶させるデータ記憶処理と、
　前記第１可変入賞手段用駆動データ記憶領域に記憶された駆動制御時間データに基づいて第１駆動信号を前記第１駆動手段に出力し、前記第２可変入賞手段用駆動データ記憶領域に記憶された駆動制御時間データに基づいて第２駆動信号を前記第２駆動手段に出力する駆動信号出力処理と、
　を実行可能であり、
　前記第１駆動手段を駆動させるときと前記第２駆動手段を駆動させるときとで回路により駆動信号を出力して前記第１可変入賞手段と前記第２可変入賞手段とをそれぞれ独立して有利な状態に変化させる、
　遊技機。」の点で一致し、以下の点で相違する。
　
［相違点１］
　本願発明は、第１可変入賞手段および第２可変入賞手段が、それぞれ複数態様の有利な状態のうちいずれかの有利な状態に変化可能であるのに対して、
　刊行物発明は、当該発明特定事項を備えるか否か明らかでない点。
　
［相違点２］
　本願発明は、第１駆動信号および第２駆動信号を出力する設定を共通の領域に対して行うのに対して、
　刊行物発明は、当該発明特定事項を備えるか否か明らかでない点。
　
［相違点３］
　第１駆動手段を駆動させるときと第２駆動手段を駆動させるときとの駆動信号を出力する回路に関して、
　本願発明は、共通の回路を用いるのに対して、
　刊行物発明は、別々の回路（ソレノイド駆動部３４、ソレノイド駆動部３３）を用いる点。
　
５　当審の判断
（１）相違点１について
　遊技機の技術分野において、普通電動役物及び大入賞口の開放態様について、開放時間の異なる複数態様の有利な状態のうちのいずれかの有利な状態に変化可能にすることは、本願出願前に周知の技術事項である（例えば、特開２０１２−４５２８４号公報の【図５】、【図６】、特開２０１２−５０６５８号公報の【図６】、特開２０１０−９４２０７号公報の【図７】を参照。以下「周知の技術事項１」という。）。
　そして、上記「普通電動役物及び大入賞口の開放態様について、開放時間の異なる複数態様の有利な状態のうちのいずれかの有利な状態に変化可能にする」ことは、「第１可変入賞手段および第２可変入賞手段が、それぞれ複数態様の有利な状態のうちいずれかの有利な状態に変化可能である」ことである。
　また、刊行物発明における、普通電動役物及び大入賞口のそれぞれに、上記周知の技術事項１を適用して、複数態様の有利な状態のうちのいずれかの有利な状態に変化可能とし、上記相違点１に係る本願発明の構成とすることは、当業者が必要に応じてなし得たものである。
　
（２）相違点２について
　刊行物２には、ソレノイド制御データメモリ７０３ｃの値の０〜２ビット目（本願発明の「共通の領域」に相当する。【図７３】（ｂ）を参照。）に対して、上段チューリップ開放フラグ７０３ｆ、中段チューリップ開放フラグ７０３ｇ、下段チューリップ開放フラグ７０３ｈがオンであれば、それぞれ、対応するビット目に「１」をセットする（本願発明の「第１駆動信号および第２駆動信号を出力する設定を」行うことに相当する。）技術事項について記載されている。
　そして、刊行物発明と刊行物２に記載された技術事項とは、遊技者にとって有利な状態に変化する複数の可変入賞手段を備える遊技機という共通する技術分野に属する発明である。
　したがって、刊行物発明における第１、第２可変入賞手段に、刊行物２に記載された技術事項を適用して、上記相違点２に係る本願発明の構成とすることは、当業者が容易になし得たものである。
　
（３）相違点３について
　遊技機の技術分野において、複数の駆動手段を駆動させるときの駆動信号を出力する回路について、共通の回路により構成することは、本願出願前に周知の技術事項である（例えば、特開２００９−１３６５９８号公報の【００３７】、【図４】、特開平１１−２９０５２９号公報の【００１３】、【００２９】、【図５】、【図１６】を参照。以下「周知の技術事項２」という。）。
　したがって、刊行物発明に上記周知の技術事項２を適用して、ソレノイド駆動部３４と、ソレノイド駆動部３３とを共通の回路により構成することは、当業者が適宜なし得た事項である。
　
（４）小括
　本願発明により奏される効果は、当業者が、刊行物発明、刊行物２に記載された技術事項、及び、周知の技術事項１及び２から予測し得る範囲内のものであって、格別のものではない。 
　
　なお、請求人は、平成２８年３月２８日付けの意見書において、「（２）本願発明と引用発明との対比
　補正後の請求項１に係る発明は、第１可変入賞手段および第２可変入賞手段は、それぞれ複数態様の有利な状態のうちいずれかの有利な状態に変化可能であり、第１駆動手段を駆動させるときと第２駆動手段を駆動させるときとで共通の回路により駆動信号を出力して第１可変入賞手段と第２可変入賞手段とをそれぞれ独立して有利な状態に変化させることを特徴とします。
　これに対し、刊行物１には、大入賞口１６を開閉駆動する大入賞口開閉ソレノイドＳＯＬ１は、ソレノイド駆動回路３３を介しＣＰＵ３０に接続され、普通電動役物１５を拡開駆動する普通電動役物開放ソレノイドＳＯＬ２はソレノイド駆動回路３４を介しＣＰＵ３０に接続され、ＣＰＵ３０により個別にまたは同時に駆動制御されるようになっていることが開示されているにすぎず、第１駆動手段を駆動させるときと第２駆動手段を駆動させるときとで共通の回路により駆動信号を出力することについては開示がありません。また、第１可変入賞手段および第２可変入賞手段がそれぞれ複数態様の有利な状態のうちいずれかの有利な状態に変化可能であることについても開示がありません。
　同様に、刊行物２および３についても、補正後の請求項１の上記特徴は開示されていません。」（第３頁２２〜３７行）と主張する。 
　
　しかしながら、請求人が主張する本願発明の「第１可変入賞手段および第２可変入賞手段は、それぞれ複数態様の有利な状態のうちいずれかの有利な状態に変化可能であ」るという構成は、上記（１）において検討したように、刊行物発明に周知の技術事項１を適用することにより導かれるものであり、また、請求人が主張する本願発明の「第１駆動手段を駆動させるときと第２駆動手段を駆動させるときとで共通の回路により駆動信号を出力して第１可変入賞手段と第２可変入賞手段とをそれぞれ独立して有利な状態に変化させる」という構成は、上記（３）において検討したように、刊行物発明に周知の技術事項２を適用することにより導かれるものである。
　したがって、請求人の上記主張を採用することはできない。 
　
６　むすび
　以上のとおりであるから、本願発明は、特許法第２９条第２項の規定により特許を受けることができない。
　したがって、本願は他の請求項について検討するまでもなく拒絶すべきものである。
　
　よって、結論のとおり審決する。